(57)【要約】【課題】被写体となるユーザが単独で正確かつ容易に証明写真を撮影することができる撮像装置を提供すること。【解決手段】本発明にかかる撮像装置１０は、被写体１からの光を集光して被写体像を結像する撮像光学系３１と、被写体像に対応する画像を撮像する撮像素子３２とを備えた撮像装置において、撮像装置１０の外部のスクリーン２に、撮像素子３２によって撮像される画像の特定範囲に対応する輪郭を少なくとも投影する特定範囲投影部２０を備える。この特定範囲投影部２０は、少なくとも特定範囲の輪郭に対応する光遮断部と前記特定範囲以外の範囲に対応する光透過部とを有する特定範囲設定部２１と、特定範囲設定部２１に対して光を照射する照射部２２とを備え、照射部２２が照射した光は、特定範囲設定部２１における光透過部を透過後に撮像光学系３１に集光される光の光路上の少なくとも一部に重なった状態で、当該撮像装置１０外部に出力される。【選択図】      図１
2006197369.tif 000002
【特許請求の範囲】
【請求項１】
被写体からの光を集光して被写体像を結像する撮像光学系と、前記被写体像に対応する画像を撮像する撮像手段とを備えた撮像装置において、
当該撮像装置外部の被投影領域に、前記撮像手段によって撮像される画像の特定範囲に対応する輪郭を少なくとも投影する特定範囲投影手段を備えたことを特徴とする撮像装置。
【請求項２】
前記特定範囲投影手段は、
少なくとも前記特定範囲の輪郭に対応する光遮断部と前記特定範囲以外の範囲に対応する光透過部とを有する特定範囲設定手段と、
前記特定範囲設定手段に対して光を照射する照射手段と、
を備え、前記照射手段が照射した光は、前記光透過部の透過後に前記撮像光学系を介して当該撮像装置外部に出力され、前記特定範囲に対応する輪郭を形成することを特徴とする請求項１に記載の撮像装置。
【請求項３】
前記照射手段が照射した光は、前記光透過部の透過後に前記撮像光学系に集光される光の光路上の少なくとも一部に重なった状態で、前記輪郭を拡大投影するように当該撮像装置外部に出力され、前記特定範囲に対応する輪郭を形成することを特徴とする請求項２に記載の撮像装置。
【請求項４】
当該撮像装置における撮像方式を、前記特定範囲投影手段に前記特定範囲に対応する輪郭を投影させた後に少なくとも前記輪郭内の画像を前記撮像手段に撮像させる特定範囲撮像方式と、前記特定範囲投影手段に前記特定範囲に対応する輪郭を投影させず前記撮像手段に画像を撮像させる標準撮像方式とのいずれかに設定する撮像方式設定手段をさらに備え、
前記特定範囲投影手段は、前記撮像方式設定手段が前記撮像方式を前記特定範囲撮像方式に設定した場合、前記特定範囲に対応する輪郭を前記被投影領域に投影することを特徴とする請求項１〜３のいずれか一つに記載の撮像装置。
【請求項５】
前記撮像手段に対して画像の撮像を指示する指示手段をさらに備えたことを特徴とする請求項１〜４のいずれか一つに記載の撮像装置。
【請求項６】
前記指示手段は、所定周波数の電波、所定帯域の波長の光または画像の撮像を指示する音声の入力をもとに前記画像の撮像を前記撮像手段に指示することを特徴とする請求項５に記載の撮像装置。
【請求項７】
前記撮像手段によって撮像された画像における前記被写体像の位置および大きさを取得する取得手段と、
前記取得手段によって取得された前記被写体像の位置および大きさが前記特定範囲内であるか否かを判断する判断手段と、
前記判断手段が前記被写体像の位置および大きさが前記特定範囲内でないと判断した場合に所定の警告を行う警告手段と、
をさらに備えたことを特徴とする請求項１〜６のいずれか一つに記載の撮像装置。
【請求項８】
前記警告手段は、前記被写体によって視認される位置に配置され前記所定の警告を表示出力する警告表示手段を備えることを特徴とする請求項７に記載の撮像装置。
【請求項９】
前記警告手段は、前記被写体に対して所定の警告音声を出力する音声出力手段を備えることを特徴とする請求項７または８に記載の撮像装置。
【請求項１０】
前記撮像手段によって撮像された画像を表示出力する画像表示手段をさらに備え、
前記画像表示手段は、前記撮像方式設定手段が前記特定範囲投影方式を設定した場合、前記撮像手段が撮像した画像とともに前記特定範囲を示すマーカーを表示出力することを特徴とする請求項４〜９のいずれか一つに記載の撮像装置。
【請求項１１】
前記特定範囲投影手段は、前記特定範囲に対応する輪郭として、前記被写体が撮像されるべき範囲を示す輪郭を投影することを特徴とする請求項１〜１０のいずれか一つに記載の撮像装置。
【請求項１２】
前記特定範囲投影手段は、前記特定範囲に対応する輪郭とともに、前記被写体が撮像されるべき位置を示す輪郭を投影することを特徴とする請求項１〜１１のいずれか一つに記載の撮像装置。
【請求項１３】
前記撮像方式設定手段は、前記特定範囲撮像方式として、前記被写体の所定部分を前記特定範囲内に納めた証明写真を撮像する撮像方式を設定することを特徴とする請求項４〜１２のいずれか一つに記載の撮像装置。
【発明の詳細な説明】
【技術分野】
【０００１】
この発明は、被写体からの光を集光して被写体像を結像する撮像光学系と、前記被写体像に対応する画像を撮像する撮像手段とを備えた撮像装置に関する。
【背景技術】
【０００２】
近年、画像をデジタル情報としてメモリなどの電子媒体に記録する撮像装置や、撮像装置が撮像した画像を印刷する印刷装置が普及し、撮像した画像を即座に得ることが可能となった。しかしながら、証明写真が必要になった場合には、証明写真撮影用装置や写真店等で撮影しなければならず、証明写真の取得を即座かつ容易に取得することができなかった。また、証明写真用装置や写真店等で撮影した場合、証明写真の撮りなおし回数の制限がある場合や、証明写真を受け取るまで証明写真の仕上がりを確認できない場合があり、所望の証明写真を取得することができない場合があった。このため、所望の証明写真の取得を容易化するため、ファインダ内に証明写真用の枠を表示させた証明写真モードを設け、証明写真に対応するサイズおよび位置での撮影を補助することができる撮像装置が提案されていた（特許文献１参照）。
【０００３】
【特許文献１】特開２０００−３２１６５２号公報
【発明の開示】
【発明が解決しようとする課題】
【０００４】
しかしながら、従来の証明写真用モードが設けられた撮像装置では、被写体のほかにファインダ内の証明写真用の枠内に被写体が配置しているか否かを確認しながら画像を撮影する撮影者が必要であったため、一人で自分の証明写真を撮影したい状況に対応することができなかった。
【０００５】
この発明は、上記した従来技術の欠点に鑑みてなされたものであり、被写体となるユーザが単独で正確かつ容易に証明写真を撮影することができる撮像装置を提供することを目的とする。
【課題を解決するための手段】
【０００６】
上述した課題を解決し、目的を達成するために、この発明にかかる撮像装置は、被写体からの光を集光して被写体像を結像する撮像光学系と、前記被写体像に対応する画像を撮像する撮像手段とを備えた撮像装置において、当該撮像装置外部の被投影領域に、前記撮像手段によって撮像される画像の特定範囲に対応する輪郭を少なくとも投影する特定範囲投影手段を備えたことを特徴とする。
【０００７】
また、この発明にかかる撮像装置は、前記特定範囲投影手段は、少なくとも前記特定範囲の輪郭に対応する光遮断部と前記特定範囲以外の範囲に対応する光透過部とを有する特定範囲設定手段と、前記特定範囲設定手段に対して光を照射する照射手段と、を備え、前記照射手段が照射した光は、前記光透過部の透過後に前記撮像光学系を介して当該撮像装置外部に出力され、前記特定範囲に対応する輪郭を形成することを特徴とする。
【０００８】
また、この発明にかかる撮像装置は、前記照射手段が照射した光は、前記光透過部の透過後に前記撮像光学系に集光される光の光路上の少なくとも一部に重なった状態で、前記輪郭を拡大投影するように当該撮像装置外部に出力され、前記特定範囲に対応する輪郭を形成することを特徴とする。
【０００９】
また、この発明にかかる撮像装置は、当該撮像装置における撮像方式を、前記特定範囲投影手段に前記特定範囲に対応する輪郭を投影させた後に少なくとも前記輪郭内の画像を前記撮像手段に撮像させる特定範囲撮像方式と、前記特定範囲投影手段に前記特定範囲に対応する輪郭を投影させず前記撮像手段に画像を撮像させる標準撮像方式とのいずれかに設定する撮像方式設定手段をさらに備え、前記特定範囲投影手段は、前記撮像方式設定手段が前記撮像方式を前記特定範囲撮像方式に設定した場合、前記特定範囲に対応する輪郭を前記被投影領域に投影することを特徴とする。
【００１０】
また、この発明にかかる撮像装置は、前記撮像手段に対して画像の撮像を指示する指示手段をさらに備えたことを特徴とする。
【００１１】
また、この発明にかかる撮像装置は、前記指示手段は、所定周波数の電波、所定帯域の波長の光または画像の撮像を指示する音声の入力をもとに前記画像の撮像を前記撮像手段に指示することを特徴とする。
【００１２】
また、この発明にかかる撮像装置は、前記撮像手段によって撮像された画像における前記被写体像の位置および大きさを取得する取得手段と、前記取得手段によって取得された前記被写体像の位置および大きさが前記特定範囲内であるか否かを判断する判断手段と、前記判断手段が前記被写体像の位置および大きさが前記特定範囲内でないと判断した場合に所定の警告を行う警告手段と、をさらに備えたことを特徴とする。
【００１３】
また、この発明にかかる撮像装置は、前記警告手段は、前記被写体によって視認される位置に配置され前記所定の警告を表示出力する警告表示手段を備えることを特徴とする。
【００１４】
また、この発明にかかる撮像装置は、前記警告手段は、前記被写体に対して所定の警告音声を出力する音声出力手段を備えることを特徴とする。
【００１５】
また、この発明にかかる撮像装置は、前記撮像手段によって撮像された画像を表示出力する画像表示手段をさらに備え、前記画像表示手段は、前記撮像方式設定手段が前記特定範囲投影方式を設定した場合、前記撮像手段が撮像した画像とともに前記特定範囲を示すマーカーを表示出力することを特徴とする。
【００１６】
また、この発明にかかる撮像装置は、前記特定範囲投影手段は、前記特定範囲に対応する輪郭として、前記被写体が撮像されるべき範囲を示す輪郭を投影することを特徴とする。
【００１７】
また、この発明にかかる撮像装置は、前記特定範囲投影手段は、前記特定範囲に対応する輪郭とともに、前記被写体が撮像されるべき位置を示す輪郭を投影することを特徴とする。
【００１８】
また、この発明にかかる撮像装置は、前記撮像方式設定手段は、前記特定範囲撮像方式として、前記被写体の所定部分を前記特定範囲内に納めた証明写真を撮像する撮像方式を設定することを特徴とする。
【発明の効果】
【００１９】
本発明にかかる撮像装置によれば、特定範囲投影手段によって、撮像手段によって撮像される画像の特定範囲特定範囲に対応する輪郭が投影される。このため、被写体であるユーザは、この投影された特定範囲に対応する輪郭を視認することによって特定範囲に対応する位置を認識することができ、この投影された輪郭内に移動し、この特定範囲内に位置した状態でユーザ自身の画像を撮像することができる。この結果、本発明にかかる撮像装置によれば、被写体であるユーザは、特定範囲内に位置する被写体自身の画像をユーザ単独の操作で正確かつ容易に取得することができる。
【発明を実施するための最良の形態】
【００２０】
以下、図面を参照して、この発明の実施の形態である撮像装置について説明する。なお、この実施の形態によりこの発明が限定されるものではない。また、図面の記載において、同一部分には同一の符号を付している。
【００２１】
まず、実施の形態にかかる撮像装置について説明する。本実施の形態にかかる撮像装置は、証明写真を撮像するモードに設定された場合、撮影される画像における証明写真サイズに対応する輪郭を外部に対して投影し、被写体に対して被写体が配置すべき位置や範囲を示している。
【００２２】
図１は、本実施の形態にかかる撮像装置の概略構成を示すブロック図である。図１に示すように、本実施の形態にかかる撮像装置１０は、撮像装置１０外部のスクリーン２に画像における証明写真用範囲である特定範囲に対応する輪郭を少なくとも投影する特定範囲投影部２０と、画像を撮像して画像信号を生成する撮像部３０と、撮像部３０が生成した画像信号を処理し１フレームの画像に対応する画像情報を生成する信号処理部４０と、信号処理部４０が生成した画像情報を処理し被写体１像が特定範囲内に位置するか否かを判断する画像処理部５０と、画像処理部５０が被写体１像が特定範囲内に位置していないと判断した場合に所定の警告を行う警告部６０と、各種指示情報を入力する入力部７０と、撮像部３０に対して画像の撮影を指示する撮影指示情報を入力する指示部７５と、各種情報を記憶する記憶部８０と、撮像部３０が撮影した画像を表示する画像表示部８３と、外部装置との間で情報通信を行なう通信部８６と、撮像装置１０の全体の処理および動作を制御する制御部９０とを備える。特定範囲投影部２０、撮像部３０、信号処理部４０、画像処理部５０、警告出力部６０、入力部７０、指示部７５、記憶部８０、画像表示部８３、通信部８６は、制御部９０に電気的に接続される。
【００２３】
特定範囲投影部２０は、特定範囲設定部２１と、特定範囲設定手段に対して光を照射する照射部２２とを備える。特定範囲設定部２１は、画像における証明写真用範囲である特定範囲の輪郭に対応する光遮断部と、特定範囲以外の範囲に対応する透過部を有する。照射部２２から照射された光は、特定範囲設定部２１に入射する。照射部２２から入射した光のうち、特定範囲設定部２１における光遮断部に入射した光は、光遮断部によって遮断され、特定範囲設定部２１外に出力されることはない。また、照射部２２から入射した光のうち、特定範囲設定部２１における光透過部に入射した光は、透過して特定範囲設定部２１外部に出力される。そして、照射部２２が照射した光は、図１に示すように、特定範囲設定部２１の光透過部の透過後に、撮像光学系３１を介して撮像装置１０外に出力され、特定範囲に対応する輪郭をスクリーン２上に形成する。なお、このときに、撮像装置１０外に出力された特定範囲に対応する輪郭は、スクリーン２上に拡大投影される。
【００２４】
撮像部３０は、撮像光学系３１と、撮像素子３２と、Ａ／Ｄ変換部３３とを備える。撮像光学系３１は、任意の被写体１からの光を集光し、撮像素子３２上に被写体像を結像する。撮像手段としての撮像素子３２は、ＣＣＤ、ＣＭＯＳ等の個体撮像素子で実現され、撮像光学系３１が集光した光を光信号として検出し、被写体１像に対応した画像を撮像し、撮像した画像をアナログ信号である電気信号に変換して出力する。Ａ／Ｄ変換部３３は、撮像素子３２が出力したアナログ信号をデジタル信号に変換し、信号処理部４０に出力する。撮像光学系３１は、焦点距離が可変なズームレンズで実現され、複数のレンズを組み合わせて構成される。また、撮像光学系３１は、制御部９０の制御のもと、図示しない駆動装置により一部または全部のレンズが光軸方向に移動されることによって焦点距離を変更するとともにピント合わせを行う。なお、撮像光学系３１は、焦点距離が固定された単焦点レンズであってもよく、また、筐体に対して着脱可能に取り付けられ他の撮像光学系と交換可能に構成してもよい。また、撮像部３０は、たとえばＣＤＳセンサなどを備え露出量を調整してもよく、また、オートゲインコントロール（ＡＧＣ）機能を備え暗所でのフィルム感度を自動的に調整してもよい。
【００２５】
信号処理部４０は、撮像部３０から入力されたデジタル信号をもとに、１フレームの画像に対応する画像信号を一時的に記憶するフレームメモリ４１を有する。信号処理部４０は、フレームメモリ４１が記憶する１フレームの画像に対応する画像信号を画像情報として画像処理部５０に出力する。
【００２６】
画像処理部５０は、算出部５１と、判断部５２とを備える。算出部５１は、信号処理部４０から入力された画像情報をもとに、画像における被写体１像の位置および画像全体に対して被写体１像が占める大きさを算出する。判断部５２は、算出部５１が算出した被写体１像の位置および大きさが、画像における証明写真用範囲である特定範囲内であるか否かを判断し、判断結果を制御部９０に出力する。具体的には、判断部５２は、算出部５１が算出した被写体１像の位置および大きさをもとに、被写体１像が画像の特定範囲内に位置しているか否か、また、被写体１像の所定部位が特定範囲内に納まっているか否かを判断する。
【００２７】
警告出力部９０は、警告表示部６１と、警告音出力部６２とを備える。警告表示部６１は、被写体１であるユーザ自身がユーザ自身を撮像する場合に、このユーザ自身によってされる位置に配置される。また、警告表示部６１は、判断部５２が被写体１像の位置および大きさが特定範囲内でないと判断した場合、所定の警告表示を行う。たとえば、警告表示部６１は、発光ダイオード（ＬＥＤ）等によって実現され、このＬＥＤを点灯、点滅等することによって所定の警告表示を行う。また、警告音出力部６２は、判断部５２が被写体１の位置および大きさが特定範囲内でないと判断した場合、所定の警告音声を出力する。警告音出力部６２は、スピーカー等によって実現され、所定の警告音声をスピーカーから出力させる。なお、警告音出力部６２は、各構成部位による処理の開始または完了を報知する所定の報知音の出力および各種処理動作に関するエラーが発生した場合にエラーを報知する所定のエラー音の出力を行なってもよい。
【００２８】
入力部７０は、撮像装置１０の動作指示および撮像装置１０が行なう処理の指示情報を入力し、各指示情報を制御部９０に送出する。入力部２０が入力する指示情報として、撮像装置１０の起動／終了、撮影の開始／終了、撮像光学系３１のピント合わせおよびズームポジションの設定、撮影モードの設定、撮像した画像の処理方法の設定等が含まれる。入力部７０は、ボタン型、トグル型等の各種スイッチ、入力キー、タッチパネル等を用いて実現される。
【００２９】
指示部７５は、撮像方式が証明写真モードである場合、被写体１の撮影を指示する撮影指示情報を制御部９０に出力する。この指示部７５は、所定周波数の電波または所定帯域の波長の光を出力するリモコン７５ａを有する。指示部７５は、このリモコン７５ａから、所定周波数の電波または所定帯域の波長の光を受信した場合、被写体１の撮影を指示する撮影指示情報を制御部９０に出力する。被写体１であるユーザは、ユーザ自身の証明写真の撮影する場合、このリモコン７５ａを手にする。そして、ユーザは、証明写真の撮影を撮像装置１０に指示する場合にリモコン７５ａのボタン等を押圧する。リモコン７５ａは、ボタン等が押圧されることによって、所定周波数の電波または所定帯域の波長の光を指示部７５に対して出力する。なお、指示部７５は、必ずしもリモコン７５ａを備える必要はなく、たとえば、撮影を指示する音声の入力をもとに撮影指示情報を制御部９０に出力してもよい。この場合、ユーザは、証明写真の撮影を撮像装置１０に指示する場合に、所定の指示音声を発すればよい。
【００３０】
記憶部８０は、所定のＯＳを起動するプログラム、処理プログラム等の各種情報が記憶されたＲＯＭと、各処理の各種処理パラメータ、各構成部位に出力された各種情報等を記憶するＲＡＭとを用いて実現される。具体的には、記憶部８０は、撮像部３０が撮像し信号処理部４０が生成した画像情報、撮像光学系３１のズームにともなう焦点距離情報等を記憶する。
【００３１】
画像表示部８３は、たとえば、液晶ディスプレイ、有機ＥＬディスプレイ、ＬＥＤ等を用いて実現され、制御部９０からの制御に基づいて各種情報を表示する。画像表示部８３は、撮像部３０が撮像し信号処理部４０が生成した画像情報を表示する。また、画像表示部８３は、撮像装置１０における撮影モードが証明写真モードである場合には、証明写真サイズである特定範囲を示すマーカーを、撮像部３０が撮像し信号処理部４０が生成した画像情報とともに表示する。また、画像表示部８３は、制御部９０が制御する各種処理および動作の開始や完了を報知する報知情報、各種処理および動作で発生したエラーを報知するエラー情報等を表示してもよい。
【００３２】
通信部８６は、ＲＳ２３２Ｃ、ＵＳＢ、ＩＥＥＥ１３９４等の外部通信用インターフェース、あるいはＩｒＤＡ規格に準拠した赤外線通信インターフェース等を用いて実現され、制御部９０からの指示に基づいて、外部装置との間で画像情報等の各種情報通信を行なう。また、通信部８６は、各種情報の出力または記録が可能な携帯型記録媒体を用いて外部装置との間で情報の受け渡しを行ってもよい。たとえば、携帯型記録媒体として、撮像装置１０に対して着脱可能であり、不揮発性メモリであるスマートメディア（登録商標）等のフラッシュメモリ等を用いる。そして、制御部９０は、この携帯型記録媒体が撮像装置１０に挿着された場合、携帯型記録媒体に記録された各種情報を取得し、または、画像情報等の各種情報を携帯型記録媒体に記録する。
【００３３】
制御部９０は、記憶部８０が記憶部処理プログラムを実行するＣＰＵ等によって実現される。また、制御部９０は、撮像装置１０における撮影モードを、証明写真を撮影する証明写真モードまたは通常の画像を撮影する標準撮影モードのいずれかに設定する撮影モード設定部９１を備える。証明写真モードは、特定範囲投影部２０に証明写真サイズである特定範囲に対応する輪郭をスクリーン２に投影させた後に、撮影指示情報の入力にしたがって、撮像部３０に少なくとも輪郭内の画像を撮影させるモードである。また、標準撮影モードは、特定範囲投影部２０に特定範囲に対応する輪郭を投影させず撮像部３０に画像を撮影させるモードである。制御部９０は、撮影モード設定部９１が証明写真モードを設定した場合、特定範囲投影部２０に特定範囲に対応する輪郭を投影させ、特定範囲投影部２０は、特定範囲に対応する輪郭を投影する。また、制御部９０は、撮影モード設定部９１が標準撮影モードを設定した場合、特定範囲投影部２０に特定範囲に対応する輪郭を投影させない。また、制御部９０は、撮影モード設定部９１が証明写真モードを設定した場合、撮像部３０が撮像し信号処理部４０が生成した画像情報とともに、画像における証明写真用範囲である特定範囲を示すマーカーを表示させる。
【００３４】
ここで、撮像装置１０がいわゆる一眼レフレックスカメラである場合を例に、図２を参照して、特定範囲設定部２０および撮像部３０について具体的に説明する。図２は、図１に示す特定範囲設定部２０および撮像部３０を説明する図であり、撮像装置１０の断面を側面から示した図の一例である。図２には、撮像光学系３１を構成するレンズ３４が図示され、また、可動ミラー３５、ペンタプリズム３６、ファインダ３７が図示されている。可動ミラー３５は、撮影指示情報が入力部７０から入力されない場合、図２に示す位置に配置され、レンズ３４が集光した光をペンタプリズム３６の配置方向に反射する。可動ミラー３５によって反射された光は、ペンタプリズム３６を介してファインダ３７に入射する。撮像装置１０の使用者は、通常の画像を撮像する標準撮影モードにおいて画像を撮像する場合には、ファインダ３７を介して実際に撮影される画像を確認することができる。
【００３５】
また、図２に示す証明写真用フィルタ２３とフィルタ挿着部２４は、特定範囲設定部２１を構成する。また、光源２６は、照射部２２を構成し、撮像装置１０に着脱可能である。証明写真用フィルタ２３は、撮像装置１０に着脱可能であり、たとえば、撮像装置１０の側面から着脱されたり、レンズ３４の交換時などに着脱される。フィルタ挿着部２４は、証明写真用フィルタ２３が撮像装置１０に挿着された場合に、証明写真用フィルタ２３を固定する部分である。なお、撮像装置１０では、フィルタ挿着部２４に固定された場合、撮影モードを証明写真モードに設定する指示情報が撮影モード設定部９１に入力されるとしてもよい。
【００３６】
証明写真用フィルタ２３は、図３に示すように、遮断部２３ａ，２３ｂと透過部２３ｃとを有している。遮断部２３ａ，２３ｂは、光源２６から照射された光を遮断し、遮断部２３ａ，２３ｂ以外の領域に対応する透過部２３ｃは、光源２６から照射された光を透過する。遮断部２３ｂは、画像における証明写真用範囲である特定範囲に対応しており、この遮断部２３ｂ内が証明写真として用いられる範囲である。また、遮断部２３ａは、被写体１が撮像されるべき位置を示し、証明写真のうち被写体１の顔部分が配置されるべき範囲に対応している。
【００３７】
図２の矢印Ｌａに示すように、光源２６から照射された光は、ペンタプリズム３６を介して証明写真用フィルタ２３に入射する。証明写真用フィルタ２３に入射した光は、証明写真用フィルタ２３の遮断部２３ａ，２３ｂ以外の透過部２３ｃを透過する。そして、証明写真用フィルタ２３の透過部２３ｃを透過した光は、可動ミラー３４によってレンズ３４に入射し、レンズ３４を介して撮像装置１０の外部に出力される。
【００３８】
そして、撮像装置１０から外部のスクリーン２に出力された光は、図４に示すように、遮断部２３ａに対応した顔配置用枠２８ａおよび遮断部２３ｂに対応した上半身配置用枠２８ｂを投影することとなる。上半身配置用枠２８ｂは、証明写真サイズである特定範囲の輪郭に対応する。すなわち、上半身配置用枠２８ｂは、画像における証明写真用範囲である特定範囲に対応する輪郭を示しており、この上半身配置用枠２８ｂの範囲内に位置する人物等が証明写真範囲内に納まる。被写体１であるユーザは、スクリーン２に投影された上半身配置用枠２８ｂ内に、ユーザ自身の上半身が配置するよう位置すればよい。この場合、ユーザ自身の上半身の画像が撮像装置１０で撮像される画像の証明写真範囲内に納まることとなる。また、顔配置用枠２８ａは、被写体１が撮像されるべき位置を示す輪郭であり、画像における証明写真のうち被写体１の顔部分が配置されるべき範囲に対応している。このため、被写体１であるユーザは、スクリーン２に投影された顔配置用枠２８ａ内に、ユーザ自身の顔が配置するよう位置すればよい。ユーザは、この状態で撮像装置１０に対して撮影を行わせた場合、適切な位置に被写体１であるユーザの顔が証明写真範囲内の適切な位置に配置された状態で画像を取得することができる。
【００３９】
被写体１であるユーザは、上半身配置用枠２８ｂ内に移動し、ユーザ自身の顔も顔配置用枠２８ａに対応させて配置させたと判断した場合、リモコン７５ａの撮影ボタンの押圧等を行うことによって撮像装置１０に撮影開始を指示する。リモコン７５ａは、指示部７５に画像の撮像を指示する所定周波数の電波または所定帯域の波長の光を出力し、指示部７５は、リモコン７５ａからの所定周波数の電波または所定帯域の波長の光を受け、制御部９０に撮影指示情報を出力する。そして、撮像部３０は、被写体１の画像を撮像する。具体的には、撮像装置１０では、この撮影指示情報を受け、図示しない駆動装置によって図２に示す可動ミラー３５をレンズ３４が集光する光の光軸上から移動させる。このため、レンズ３４が集光した光は、撮像素子３２であるＣＣＤ３８に入射し、ＣＣＤ３８によって電気信号に変換される。この結果、撮像装置１０は、証明写真範囲内に被写体１像が配置された画像を撮影することとなる。
【００４０】
このように、被写体１であるユーザは、撮像装置１０によって投影された顔配置用枠２８ａおよび上半身配置用枠２８ｂを視認することによって、証明写真として撮像装置１０によって撮像される範囲を認識することができる。また、被写体１であるユーザは、顔配置用枠２８ａおよび上半身配置用枠２８ｂ内に顔部分、上半身部分が配置するように位置を調整後、撮像装置１０に撮影を指示することによって、被写体１自身の顔部分および上半身部分が正確に配置されて状態の証明写真を撮像装置１０に撮像させることができる。
【００４１】
つぎに、撮像装置１０において、証明写真モードが設定された場合の撮像処理について説明する。図５は、撮像装置１０における証明写真モードが設定された場合の撮像処理手順を示すフローチャートである。
【００４２】
まず、図５に示すように、撮影モード設定部９１は、証明写真用フィルタ２３の挿着などによって入力された証明写真モードの設定を指示する指示情報をもとに、撮影モードを標準撮影モードから証明写真モードに設定する（ステップＳ１０２）。その後、特定範囲投影部２０では、照射部２２が光照射を開始し、画像における証明写真用範囲である特定範囲に対応する輪郭を投影する特定範囲投影処理を行う（ステップＳ１０４）。この結果、スクリーン２上には、図４に示すような顔配置用枠２８ａや上半身配置用枠２８ｂが投影される。被写体１であるユーザは、この証明写真用枠２８ａ，２８ｂ内に移動し、顔配置用枠２８ａ、上半身配置用枠２８ｂをもとに自身の位置を調整する。
【００４３】
その後、制御部９０は、指示部７５からの撮影開始を指示する撮影開始指示情報が入力されたか否かを判断する（ステップＳ１０６）。制御部９０が撮影開始指示情報が入力されない判断した場合（ステップＳ１０６：Ｎｏ）、ステップＳ１０４に進み、特定範囲投影部２０は、特定範囲投影処理を継続する。
【００４４】
これに対し、制御部９０は、撮影開始指示情報が入力されたと判断した場合（ステップＳ１０６：Ｙｅｓ）、特定範囲投影部２０に対して、特定範囲投影処理の停止を指示する。この場合、照射部２２は、光照射を停止し、特定範囲投影部２０は、特定範囲に対応する輪郭の投影を停止する（ステップＳ１０８）。その後、制御部９０は、撮像部３０および信号処理部４０に対して、撮像範囲内の画像の取り込みを指示し、撮像部３０および信号処理部４０は、撮像範囲内の画像を取り込む（ステップＳ１１０）。つぎに、制御部９０は、算出部５１に対して、撮像部３０および信号処理部４０が取り込んだ画像における被写体１の位置および大きさを算出させる（ステップＳ１１２）。判断部５２は、算出部５１が算出した被写体１の位置および大きさが、特定範囲内であるか否かを判断する（ステップＳ１１４）。たとえば、判断部５２は、画像の証明写真用範囲である特定範囲内に被写体１像の上半身部分が納まっているか否かを判断する。また、判断部５２は、画像に証明写真用範囲の中央に被写体１像の顔部分が納まっているか否かを判断する。
【００４５】
その後、判断部５２が被写体１の位置および大きさが特定範囲以内でないと判断した場合（ステップＳ１１４：Ｎｏ）、警告出力部６０は、所定の警告を出力する（ステップＳ１１６）。たとえば、警告表示部６１は、警告表示としてＬＥＤ等を点灯、点滅させるほか、たとえば、被写体１の位置を指示する「もう少し左（あるいは右）に寄って下さい。」等の指示を表示してもよい。また、警告音出力部６２は、警告音声を出力する。この警告音声として、エラー音のような警告音のほか、たとえば、被写体１の位置を指示する「もう少し左（あるいは右）に寄って下さい。」等の音声を出力してもよい。
【００４６】
一方、判断部５２が被写体１の位置および大きさが特定範囲以内であると判断した場合（ステップＳ１１４：Ｙｅｓ）、制御部９０は、指示部７５から撮影を指示する撮影指示情報が入力されたか否かを判断する（ステップＳ１１８）。制御部９０は、この撮影指示情報が入力されるまでステップＳ１１８の判断を繰り返す。そして、制御部９０は、撮影指示情報が入力されたと判断した場合（ステップＳ１１８：Ｙｅｓ）、撮像部３０および信号処理部４０に対して撮像範囲に対応する画像情報を取得する撮影処理を行わせる（ステップＳ１２０）。そして、制御部９０は、撮像部３０および信号処理部４０によって取得された画像情報を記憶部８０に記憶させる（ステップＳ１２２）。また、制御部９０は、撮影処理によって取得された画像を画像表示部８３に表示させる（ステップＳ１２４）。たとえば、画像表示部８３は、図６に示すように、表示領域８４において、被写体像１ａとともに、顔配置用枠２８ｃおよび上半身配置用枠２８ｄを表示させてもよい。このように、撮像装置１０では、画像表示部８３の表示領域８４上には、実際に撮影された被写体像１ａのほか顔配置用枠２８ｃおよび画像における特定範囲を示す上半身配置用枠２８ｄが表示される。なお、画像表示部８３は、上半身配置用枠２８ｄのように、特定範囲を枠で表示するほか、特定範囲をマーカーで表示してもよい。同様に、画像表示部８３は、顔配置用枠２８ｃのように、被写体１が撮像されるべき位置を枠で表示するほか、特定範囲をマーカーで表示してもよい。さらに、画像表示部８３は、必ずしも顔配置用枠２８ｃを表示する必要はない。画像表示部８３は、少なくとも上半身配置用枠２８ｄを表示すれば足りる。この上半身配置用枠２８ｄが表示されていれば、ユーザ自身の上半身が証明写真用範囲に納まっているか否かが確認できるためである。
【００４７】
このため、被写体１であるユーザは、表示領域８４の表示画像を確認することによって、被写体像１ａの上半身が特定範囲内に納まっているか、また、被写体像１ａの顔部分が特定範囲内の適切な位置に納まっているかを確認することができる。被写体であるユーザは、表示領域８４のユーザ自身の被写体像１ａと、顔配置用枠２８ａ，上半身配置用枠２８ｂとの位置を確認することによって、ユーザ自身の証明写真が適切に撮影されたか否かを判断することができる。ユーザは、証明写真が適切に撮影されたと判断した場合には、この画像を印刷等することによって、ユーザ単独の操作によって正確かつ容易に証明写真を取得することができる。また、ユーザは、証明写真が適切に撮影されていないと判断した場合には、何度でも、証明写真モードで画像を撮影することによって、所望の証明写真を取得することができる。
【００４８】
このように、本実施の形態にかかる撮像装置１０では、画像における証明写真用範囲である特定範囲に対応する輪郭を投影している。このため、被写体１であるユーザは、投影された輪郭を利用して、ユーザ単独で、ユーザ自身の証明写真を正確かつ容易に撮影し、取得することができる。また、本実施の形態にかかる撮像装置１０では、撮影された画像における被写体１の位置および大きさを取得し、被写体１の位置および大きさが特定範囲内にない場合には、所定の警告を出力する。被写体１であるユーザは、この警告を確認することによって、ユーザ自身の位置等が適切でないことを認識することができ、ユーザ自身の位置を調整して、適切な位置で証明写真を撮影することができる。また、本実施の形態にかかる撮像装置１０では、画像表示部８３に、撮影した画像とともに特定範囲を示すマーカーを表示するため、被写体１であるユーザは、画像表示部８３に表示された被写体像とマーカーとの位置を確認することによって、ユーザ自身の画像が証明写真として適切な位置および大きさで撮影されたか否かを即座に判断することができる。
【００４９】
なお、この実施の形態では、照射部２２が照射した光は、特定範囲設定部２１の光透過部の透過後に、撮像光学系３１を介して撮像装置１０外に出力されるが、本発明はこれに限らず、たとえば図７に示すように、照射部２２が照射した光は、特定範囲設定部２１の光透過部の透過後に、撮像光学系３１に集光される光の光路上の少なくとも一部に重なった状態で撮像装置１０外に出力され、特定範囲に対応する輪郭をスクリーン２上に形成するように構成することも可能である。この変形例の場合には、別途光学系が必要となるが、スクリーン２上に投影される特定範囲のみを任意の大きさに拡大または縮小制御することが可能となる。
【００５０】
また、算出部５１は、撮像部３０が撮像した画像における被写体１像の位置および画像全体に対して被写体１像が占める大きさを算出する場合について説明したが、これに限らず、画像における所定部分に対応する被写体１像の位置および画像における所定部分に対して被写体１像が占める大きさを算出してもよい。
【００５１】
また、画像表示部８３は、証明写真モードが設定された場合、表示領域８４の一部に証明写真範囲を示す上半身配置用枠２８ｄに表示した場合について説明したが、これに限らず、表示領域８４全体を証明写真範囲として証明写真範囲に対応する画像を表示してもよい。この場合、撮像装置１０は、表示領域８４全体が証明写真範囲となるため、必ずしも、上半身配置用枠２８ｄを表示させる必要はない。被写体１であるユーザは、表示領域８４にユーザ自身の上半身が表示されていれば、証明写真として用いることができる範囲内にユーザ自身が正確に撮影されていると判断できる。
【００５２】
また、本実施の形態にかかる撮像装置１０として、スクリーン２に、特定範囲に対応する上半身配置用枠２８ｂとともに、被写体１が撮像されるべき位置を示す顔用配置用枠２８ａを投影させた場合を例として説明したが、必ずしも複数の輪郭を投影する必要はない。たとえば、撮像装置１０は、上半身配置用枠２８ｂのみを証明写真範囲に対応する輪郭として簡易的に投影させてもよい。この場合、被写体１であるユーザは、この上半身配置用枠２８ｂを視認することによって、証明写真用範囲である特定範囲を確認することができる。
【００５３】
また、本実施の形態では、図２において一眼レフレックスカメラである場合を例に特定範囲設定部２０および撮像部３０を説明したが、一眼レフレックスカメラである場合に限らず、いわゆるコンパクトカメラにも適用可能である。この場合、証明写真用フィルタ２３を照射する光源が予めコンパクトカメラ内に設けられた構成としてもよい。また、この場合、撮像装置１０は、証明写真フィルタ２３を、コンパクトカメラ内の撮影光路内外に移動可能に設け、証明写真モード時に証明写真フィルタ２３を、撮像光学系３１を構成するレンズ近傍の所定位置に駆動装置を用いて機械的に移動させ、特定範囲に対応する輪郭の投影を行う。また、本実施の形態にかかる撮像装置１０は、携帯端末等の通信装置や処理装置に備えられたものであってもよい。
【００５４】
また、本実施の形態にかかる撮像装置として、リモコン７５ａからの所定周波数の電波または所定帯域の波長の光の入力、または、所定の音声の入力をもとに指示部７５が制御部９０に撮影指示情報を入力し、画像の撮影を行う撮像装置１０について説明したが、これに限らない。たとえば、制御部９０は、タイマーを備え、判断部５２が被写体１の位置および大きさが特定範囲内であると判断した場合であって被写体１が静止している場合には、タイマーによって被写体１が静止してから所定期間が計時されたときに、撮像部３０に画像の撮影を指示してもよい。
【００５５】
また、本実施の形態では、特定範囲設定部２０として、図２に示す写真用フィルタ２３と光源２６とを別個に設けた構成を例に説明したが、これに限らず、写真用フィルタと光源とを一体にした構成としてもよい。
【図面の簡単な説明】
【００５６】
【図１】実施の形態１にかかる撮像装置の概略構成を示すブロック図である。
【図２】図１に示す撮像装置の断面を側面から示した図の一例である。
【図３】図２に示す証明写真用フィルタの平面図の一例である。
【図４】図１に示すスクリーンに投影される特定範囲に対応する輪郭の一例を示す図である。
【図５】図１に示す撮像装置の撮影処理手順を示すフローチャートである。
【図６】図１に示す画像表示部の表示画面の一例を示す図である。
【図７】実施の形態１にかかる撮像装置の概略構成の変形例を示すブロック図である。
【符号の説明】
【００５７】
１  被写体
２  スクリーン
１０  撮像装置
２０  特定範囲投影部
２１  照射部
２２  特定範囲設定部
２３  照明写真用フィルタ
２４  フィルタ挿着部
２６  光源
２８ａ，２８ｃ  顔配置用枠
２８ｂ，２８ｄ  上半身配置用枠
３０  撮像部
３１  撮像光学系
３２  撮像素子
３３  Ａ／Ｄ変換部
３４  レンズ
３５  可動ミラー
３６  ペンタプリズム
３７  ファインダ
３８  ＣＣＤ
４０  信号処理部
４１  フレームメモリ
５０  画像処理部
５１  算出部
５２  判断部
６０  警告出力部
６１  警告表示部
６２  警告音出力部
７０  入力部
７５  指示部
７５ａ  リモコン
８０  記憶部
８３  画像表示部
８４  表示領域
８６  通信部
９０  制御部
９１  撮影モード設定部
【図１】
2006197369.tif 000003
【図２】
2006197369.tif 000004
【図３】
2006197369.tif 000005
【図４】
2006197369.tif 000006
【図５】
2006197369.tif 000007
【図６】
2006197369.tif 000008
【図７】
2006197369.tif 000009